(57)【要約】【課題】  例えば、有機ＥＬ表示装置等の動画ボケを低減し、且つ有機ＥＬ素子等の発光素子の劣化を抑制する。【解決手段】  速度検出回路２０は、有機ＥＬ表示部１１０に表示される動画像の速度を検出する。発光期間選択回路３０は、検出された画像信号の速度及び予め設定された動画ボケの許容値に基づいて、動画ボケを低減するように画素部７０の最適な発光期間を選択する。動画像の速度に応じて最適な発光期間が選択されるため、動画像の速度に無関係に一種類の発光期間が設定されている場合に比べて、動画ボケを効果的に低減しつつ、画素部７０に含まれる有機ＥＬ素子の劣化を抑制できる。【選択図】  図１
2006215141.tif 000002
【特許請求の範囲】
【請求項１】
複数の走査線と、複数のデータ線と、前記走査線及び前記データ線の交差に対応して各々設けられ、動画像を表示すべく夫々発光可能である複数の画素部を備えた電気光学装置を駆動するための電気光学装置の駆動回路であって、
前記動画像の速度を検出する速度検出手段と、
該検出された速度及び予め設定された動画ボケの許容値に基づいて、前記動画ボケを低減するように前記画素部の最適な発光期間を選択する発光期間選択手段と、
前記最適な発光期間に基づいて前記画素部を駆動する駆動手段とを備えたこと
を特徴とする電気光学装置の駆動回路。
【請求項２】
前記速度検出手段は、前記動画像が移動した移動量を検出する移動量検出手段と、該検出された移動量に基づいて前記速度を演算する速度演算手段とを有すること
を特徴とする請求項１に記載の電気光学装置の駆動回路。
【請求項３】
前記速度検出手段は、前記動画像を構成する一連のフレームのうち連続したフレームの夫々によって表示される静止画間の差分値を検出する差分値検出手段を有すること
を特徴とする請求項１又は２に記載の電気光学装置の駆動回路。
【請求項４】
前記差分値検出手段は、前記連続したフレームの夫々によって表示される静止画の画像信号を記憶するメモリと、前記メモリに記憶された画像信号と所定の画像信号とを比較することによって前記差分値を算出する比較回路とを有すること
を特徴とする請求項３に記載の電気光学装置の駆動回路。
【請求項５】
前記速度検出手段は、前記動画像の動きベクトルを検出する動きベクトル検出手段と、該動きベクトル検出手段によって検出された動き信号に基づいて前記動画像の動きベクトル信号を演算する動きベクトル演算手段とを有すること
を特徴とする請求項１から４の何れか一項に記載の電気光学装置の駆動回路。
【請求項６】
前記検出された速度、前記差分値、又は動き信号に基づいて、前記画素部の輝度を調整する輝度調整手段を更に備えたこと
を特徴とする請求項１から５の何れか一項に記載の電気光学装置の駆動回路。
【請求項７】
前記輝度調整手段は、前記画素部に供給される駆動電流を調整する電流値設定回路を含むこと
を特徴とする請求項１から６の何れか一項に記載の電気光学装置の駆動回路。
【請求項８】
前記許容値はソフトウェアによって設定可能であること
を特徴とする請求項１から７の何れか一項に記載の電気光学装置の駆動回路。
【請求項９】
前記画素部は、有機ＥＬ素子を含むこと
を特徴とする請求項１から８の何れか一項に記載の電気光学装置の駆動回路。
【請求項１０】
複数の走査線と、複数のデータ線と、前記走査線及び前記データ線の交差に対応して各々設けられ、動画像を表示すべく夫々発光可能である複数の画素部を備えた電気光学装置を駆動するための電気光学装置の駆動方法であって、
前記動画像の速度を検出する速度検出工程と、
該検出された速度及び予め設定された動画ボケの許容値に基づいて前記画素部の最適な発光期間を選択する発光期間選択工程と
前記最適な発光期間に基づいて前記画素部を駆動する駆動工程とを備えたこと
を特徴とする電気光学装置の駆動方法。
【請求項１１】
請求項１から９の何れか一項に記載の電気光学装置の駆動回路を備えたこと
を特徴とする電気光学装置。
【請求項１２】
請求項１１に記載の電気光学装置を具備してなること
を特徴とする電子機器。
【発明の詳細な説明】
【技術分野】
【０００１】
本発明は、例えば有機ＥＬ表示装置等の電気光学装置の駆動回路及び方法、並びに有機ＥＬ表示装置等の電気光学装置及びこれを備えた電子機器の技術分野に関する。
【背景技術】
【０００２】
この種の電気光学装置は、動画像と静止画像とを判別し、動画像を表示する場合に画素部が備える発光素子に消光期間を設け、且つこの発光素子の発光強度を高くすることによって動画ボケを低減することが多い。このような動画ボケを低減し、且つ発光素子の劣化を抑制する技術として、例えば特許文献１は、動画像を表示する際の１フレーム当りにおける発光素子の発光期間を選択する技術を開示している。このような動画ボケは、例えば、ＶＥＳＡ標準に基づいて定量化されつつあり、これに関連して動画の表示特性を評価する評価装置も開発されている（例えば、非特許文献１。）。また、この種の電気光学装置は、静止画を表示する場合に、発光素子に消光期間を設けずに発光素子の発光強度を小さくする制御回路を備えていることもある。
【０００３】
【特許文献１】特開２００４−１４４９２８号公報
【非特許文献１】URL：http://www.photal.co.jp/
【発明の開示】
【発明が解決しようとする課題】
【０００４】
しかしながら、特許文献１に開示された技術によれば、１フレーム当りにおける発光素子の発光期間の選択は１種類しか対応していないため、動画像を表示する際に諸条件の違いに応じて動画ボケを低減しつつ、且つ発光素子の劣化を抑制することが困難であった。より具体的は、発光素子の発光期間が１フレームの５０％である場合には、表示輝度を確保するために発光素子の発光強度を２倍にすることになり、発光強度を高めることに伴い発光素子が大きく劣化する。したがって、発光素子の寿命が短くなり、この発光素子を備えた表示装置等の寿命も短くなる。尚、「２倍」とは、発光期間が１フレームの１００％である場合に比べて発光強度が２倍であることを意味する。また、「動画ボケ」とは、画像表示面に表示された動物体の端部がぼやけて見える現象であり、より具体的には、例えば、前回のフレームで表示された動物体の端部の残像が、今回のフレームで表示される動物体の同一の端部と重なって見える現象を意味する。即ち、人間が、動画像を構成する一連の静止画像を足し合わせて知覚することによって動物体の端部が不明瞭に見える現象である。
【０００５】
ここで、発光素子の発光期間が１フレームの５０％である場合に、動画ボケが観測されず、且つ発光強度が最も低くなる動画像の移動速度をＸとし、動画像の移動速度がＸより遅い場合、発光期間が１フレームの５０％では発光期間が短いため、その分表示輝度を確保するために発光強度が大きくなり、発光素子の劣化が顕著に進行する問題がある。また、動画の移動速度がＸより速い場合には、発光期間が５０％では発光期間が長すぎるため動画ボケが観測される問題がある。
【０００６】
よって、本発明は上記問題点等に鑑みてなされたものであり、例えば、有機ＥＬ表示装置等の動画ボケを低減し、且つ有機ＥＬ素子等の発光素子の劣化を抑制できる電気光学装置の駆動回路及び方法、並びに電気光学装置及びこれを備えた電子機器を提供することを課題とする。
【課題を解決するための手段】
【０００７】
本発明に係る電気光学装置の駆動回路は上記課題を解決するために、複数の走査線と、複数のデータ線と、前記走査線及び前記データ線の交差に対応して各々設けられ、動画像を表示すべく夫々発光可能である複数の画素部を備えた電気光学装置を駆動するための電気光学装置の駆動回路であって、前記動画像の速度を検出する速度検出手段と、該検出された速度及び予め設定された動画ボケの許容値に基づいて、前記動画ボケを低減するように前記画素部の最適な発光期間を選択する発光期間選択手段と、前記最適な発光期間に基づいて前記画素部を駆動する駆動手段とを備える。
【０００８】
本発明に係る電気光学装置の駆動回路よれば、「動画像の速度」とは、例えば、表示される動物体の端部等の同一部分が経時的に異なる画素部によって表示される際に、実際に各画素部で表示された同一部分の移動量及びこの移動に要した時間から算出される指標であり、実際に一連の静止画によってこの動物体の移動していく様子を観測した場合における動物体の移動速度である。尚、表示対象である動物体の所定の時間内の移動量で表現される、動画像の“速度”は、本来的な“速度”の意味に限定されるものではなく、例えば、連続して表示されることによって動画像を構成する一連の静止画像によって表示される動物体の各静止画像間における表示画素の相違、或いは各静止画像で表示される動物体の同一部分を表示する画素部を点灯させるためのデータ信号等の相違に応じて算出される指標等、最適な発光期間を選択する際に参照可能なあらゆる指標を含む。
【０００９】
動画ボケは、すでに述べたように、動物体の同一の端部がフレーム間で重なって見える現象を意味し、「動画ボケの許容値」とは、例えば、実際に人間の視覚によって動画像を見た際に、動画像として表示される動物体の同一の端部がフレーム間で重なって見える条件の範囲と動物体の同一の端部がフレーム間で重なって見えない条件の範囲との境界を意味する。より具体的には、例えば、検出された速度及び画素部が発光する発光期間の組み合わせ条件の範囲を規定する値である。動画ボケは、人間の視覚によって感知される現象であるため、動画像が表示される際に諸条件に応じて実際に人間の視覚、即ち人間の主観によって動画ボケとして感知される範囲も異なる。よって、「予め設定された」とは、実際に人間の視覚を介して動画ボケを生じるか否かを基準として設定されたものである。最適な発光期間に関するデータは、例えば、発光期間及び動画像の速度等の諸条件に応じてグラフ化され、駆動回路等に記憶されている。
【００１０】
このような動画ボケを、例えば、人間の視覚で感知されない或いは殆ど感知されないとみなせる程度まで低減するように、発光期間選択手段は、検出された速度及び予め設定された動画ボケの許容値に基づいて、画素部の最適な発光期間を選択する。
【００１１】
駆動手段は、選択された最適な発光期間に基づいて複数の画素部を駆動する。これにより、動画ボケ量が低減された動画像が表示される。ここで、最適な発光期間は、動画像の速度に応じて選択されているため、動画像の速度に応じて夫々選択されていることになり、動画像の速度に無関係に一種類の発光期間が設定されている場合に比べて、動画ボケを効果的に低減できる。
【００１２】
以上、説明したように本発明に係る電気光学装置の駆動回路によれば、動画像が表示される際の動画ボケを低減でき、動画像の表示特性に優れた電気光学装置を構成できる。
【００１３】
本発明に係る電気光学装置の駆動回路の一態様では、前記速度検出手段は、前記動画像が移動した移動量を検出する移動量検出手段と、該検出された移動量に基づいて前記速度を演算する速度演算手段とを有してもよい。
【００１４】
この態様によれば、「移動量」とは、例えば動画像として表示される動物体の端部が、異なるフレームで異なる画素部の発光によって表示される際に、これら異なる画素部間の距離を意味する。即ち、実際に人間の視覚で表示される動物体を見た場合、文字通り表示された動物体が移動した移動量を意味する。速度演算手段は、この移動量と、各フレームの間隔、例えば、垂直同期信号（以下、ＶＳＹＮＣと称す。）の間隔とから速度を演算し、動画像の速度を算出できる。また、移動量とは、単に動画像の移動量だけでなく、動画像の経時的な動き、例えば、複数の画素部を備えた画像表示部における動画像の動きを検出する機能を有している場合も含まれる。このような動画像の動きは、移動量を含むベクトル的な指標である。このような指標によれば、例えば、複数の画素部を備えた画像表示部の表示面内のどの方向に動画像がどれだけ移動したかを検出できる。即ち、ＶＳＹＮＣ等に基づいて算出することが困難な動画像の速度に対しても、最適な発光期間を選択できる。尚、予め動画像の動画ボケの許容値の関係をグラフ化しておけば、発光期間選択手段によって最適な発光期間が容易に選択される。
【００１５】
本発明に係る電気光学装置の駆動回路の他の態様では、前記速度検出手段は、前記動画像を構成する一連のフレームのうち連続したフレームの夫々によって表示される静止画間の差分値を検出する差分値検出手段を有してもよい。
【００１６】
この態様によれば、動画像の移動量に基づいて検出された速度にのみならず、一連のフレームの夫々によって表示される静止画間の差分値に基づいて、最適な発光期間を選択可能である。この態様では、例えば、動画ボケの許容値及び差分値の関係がグラフ化されていれば、このグラフに基づいて発光期間選択手段が最適な発光期間を選択できる。
【００１７】
この態様では、前記差分値検出手段は、前記連続したフレームの夫々によって表示される静止画の画像信号を記憶するメモリと、前記メモリに記憶された画像信号を比較することによって前記差分値を算出する比較回路とを有してもよい。
【００１８】
この態様によれば、例えば、メモリが動画像を構成する静止画の画像信号を記憶しており、比較回路が、記憶された各画像信号を比較することによってこれら画像信号が一致している割合いを求める。発光期間選択手段は、この一致している割合を差分値として最適な発光期間を選択できる。ここで、動画ボケを低減したうえで表示輝度を確保するために画素部の輝度を高めることによって、画素部の劣化が大きく進むことを抑制できる。即ち、動画ボケを低減するように、画素部の輝度及び発光期間のトレードオフが考慮されたうえで最適な発光期間が選択されている。
【００１９】
本発明に係る電気光学装置の駆動回路の他の態様では、前記速度検出手段は、前記動画像の動きベクトルを検出する動きベクトル検出手段と、該動きベクトル検出手段によって検出された動き信号に基づいて前記動画像の動きベクトル信号を演算する動きベクトル演算手段とを有していてもよい。
【００２０】
この態様では、動きベクトルは動画像の動く方向を示すベクトル的な指標である。このような指標によれば、例えば、複数の画素部を備えた画像表示部の表示面内のどの方向に動画像が移動したかを検出できる。即ち、ＶＳＹＮＣ等に基づいて算出することが困難な動画像の速度に対しても、最適な発光期間を選択できる。尚、予め動画像の動きベクトル及び動画ボケの許容値の関係をグラフ化しておけば、発光期間選択手段によって最適な発光期間が容易に選択される。
【００２１】
本発明に係る電気光学装置の駆動回路の他の態様では、前記検出された速度、前記差分値、又は動きベクトルに基づいて、前記画素部の輝度を調整する輝度調整手段を更に備えていてもよい。
【００２２】
この態様によれば、輝度調整手段は、例えば、１フレームにおける画素部の発光期間、即ちデューティ比及び輝度を最適な値に設定できる。例えば、表示輝度は、画素部の輝度及び発光期間の積で表現されるため、輝度調整手段は、例えばこの積が一定になるように画素部の輝度を調整できる。
【００２３】
本発明に係る電気光学装置の駆動回路の他の態様では、前記輝度調整手段は、前記画素部に供給される駆動電流を調整する電流値設定回路を含んでいてもよい。
【００２４】
この態様によれば、例えば画素部が有機ＥＬ素子を備えている場合、有機ＥＬ素子に流す駆動電流を調整することによって、輝度を調整できる。これに相まって最適な発光期間が選択されているため、表示輝度を損なうことなく、且つ動画ボケが生じないように高画質の動画像を表示できる。
【００２５】
本発明に係る電気光学装置の駆動回路の他の態様では、前記許容値はソフトウェアによって設定可能であってもよい。
【００２６】
この態様によれば、ソフトウェアによって動画ボケの許容値を設定すれば、例えば、電気光学装置の種類や用途に応じて動画ボケの許容値に適宜設定できることになる。例えば、動画像の速度に応じて許容可能な動画ボケに対する発光期間等のデータを記憶したテーブルが記憶されており、ソフトウェアによって、このテーブルから検出された速度に応じた最適な発光期間を選択できる。したがって、動画像の速度が検出される度に最適な発光期間を算出することなく、動画ボケを低減しつつ、画素部の劣化が大きく進行しないように発光強度を設定することが可能である。即ち、動画像の速度に応じて最適な発光期間を算出するための算出時間を低減できるうえ、最適な発光期間を算出する算出回路を設ける必要がなくなり、高画質及び長寿命を得つつ、駆動回路の構成を簡便なものにすることが可能である。
【００２７】
本発明に係る電気光学装置の駆動回路の他の態様では、前記画素部は、有機ＥＬ素子を含んでいてもよい。
【００２８】
この態様によれば、有機ＥＬ素子の素子特性を十分に発揮させながら高品位の画像を表示できる。特に、発光強度を高めるために流す電流値が大きく設定される有機ＥＬ素子では、例えば、大電流を流すことによって進行する有機層の劣化を抑制でき、素子の寿命を延ばすことが可能である。
【００２９】
本発明に係る電気光学装置の駆動方法は上記課題を解決するために、複数の走査線と、複数のデータ線と、前記走査線及び前記データ線の交差に対応して各々設けられ、動画像を表示すべく夫々発光可能である複数の画素部を備えた電気光学装置を駆動するための電気光学装置の駆動方法であって、前記動画像の速度を検出する速度検出工程と、該検出された速度及び予め設定された動画ボケの許容値に基づいて前記画素部の最適な発光期間を選択する発光期間選択工程と前記最適な発光期間に基づいて前記画素部を駆動する駆動工程とを備えている。
【００３０】
本発明に係る電気光学装置の駆動方法によれば、上述した電気光学装置の駆動回路と同様に、動画像が表示される際の動画ボケを低減でき、高画質の動画像を表示できる。
【００３１】
本発明に係る電気光学装置は上記課題を解決するために、上述の本発明に係る電気光学装置の駆動回路を備えている。
【００３２】
本発明に係る電気光学装置によれば、上述した本発明の電気光学装置の駆動回路と同様に、動画像が表示される際の動画ボケを低減できると共に、画素部の劣化を抑制でき、動画像の表示特性に優れ、且つ長寿命の電気光学装置を提供できる。
【００３３】
本発明に係る電子機器は上記課題を解決するために、上述した本発明の電気光学装置を備えている。
【００３４】
本発明に係る電子機器によれば、上述した本発明に係る電気光学装置を具備してなるので、高品位の動画像を表示可能であり、且つ長寿命である、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置などの各種電子機器を実現できる。また、本発明に係る電子機器として、例えば電子ペーパーなどの電気泳動装置等も実現することが可能である。
【００３５】
本発明のこのような作用及び他の利得は次に説明する実施形態から明らかにされる。
【発明を実施するための最良の形態】
【００３６】
以下図面を参照しながら、本発明に係る電気光学装置の駆動回路及び方法、並びに電気光学装置及びこれを備えた電子機器を説明する。尚、本発明の各実施形態では、電気光学装置として有機ＥＬ装置を例に挙げて説明する。
【００３７】
（第１実施形態）
図１乃至図７を参照しながら、本実施形態の有機ＥＬ装置１０の駆動回路及び方法、並びに有機ＥＬ装置１０を説明する。
【００３８】
先ず、図１及び図２を参照しながら、有機ＥＬ装置１０の構成を説明する。図１は、有機ＥＬ装置１０の全体構成を示すブロック図である。図２は、有機ＥＬ表示部１１０の概略構成を示すブロック図である。有機ＥＬ装置１０は、駆動回路内蔵型のアクティブマトリクス駆動方式で駆動される表示装置であり、各画素部７０に発光素子として有機ＥＬ素子７２を備えている。
【００３９】
図１において、有機ＥＬ装置１０は、有機ＥＬ表示部１１０、及び駆動回路１を備えている。
【００４０】
図１及び図２に示すように、有機ＥＬ表示部１１０は、図中縦横に配線されたデータ線１１４及び走査線１１２を備えており、データ線１１４及び走査線１１２の交点に対応する領域に画素部７０がマトリクス状に配列されている。画像表示部１１０は、画素部７０に電源を供給する電源供給線１１７を備えている。電源供給線１１７は、走査線１１２に沿って延在するように図中横方向に沿って配列されており、不図示の電源と電気的に接続されている。尚、画素部７０は、発光素子として有機ＥＬ素子を含んでいる。
【００４１】
有機ＥＬ表示部１１０の周辺に位置する周辺領域には、駆動回路１に夫々含まれる走査線駆動回路１３０及びデータ線駆動回路１５０が設けられている。走査線駆動回路１３０は複数の走査線１１２に走査信号を順次供給する。データ線駆動回路１５０は、有機ＥＬ表示部１１０に配線されたデータ線１１４に画像信号を供給する。尚、走査線駆動回路１３０の動作とデータ線駆動回路１５０の動作とは、外部回路から供給される同期信号によって相互に同期が図られる。電源供給線１１７には、外部回路から画素駆動用電源が供給される。
【００４２】
図１において、駆動回路１は、本発明に係る「速度検出手段」の一例である速度検出回路２０、本発明に係る「発光期間選択手段」の一例である発光期間選択回路３０、表示制御回路４０、本発明に係る「駆動手段」の一例を構成する走査線駆動回路１３０及びデータ線駆動回路１５０を備えている。尚、これら回路の動作を制御する不図示の制御回路は、速度検出回路２０、発光期間選択回路３０、表示制御回路４０、走査線駆動回路１３０及びデータ線駆動回路１５０毎に個別に設けられていてもよいし、これら回路とは別に設けられていてもよい。
【００４３】
速度検出回路２０は、有機ＥＬ表示部１１０に表示される動画像の速度を検出する。より具体的には、速度検出回路２０は、外部回路から表示制御回路４０に供給される画像信号の速度を検出し、検出した速度に関するデータを発光期間選択回路に送る。画像信号は、外部回路から表示制御回路４０に供給され、クロック信号、制御信号、及びデータ等の信号を含む。速度検出回路２０は、画像信号に基づいて動画像の速度を検出する。
【００４４】
発光期間選択回路３０は、検出された画像信号の速度及び予め設定された動画ボケの許容値に基づいて、動画ボケを低減するように画素部７０の最適な発光期間を選択する。発光期間選択回路３０は、画素部７０を最適な発光期間で発光させるように発光期間選択信号を表示制御回路４０に送る。ここで、動画ボケは、有機ＥＬ表示部１１０によって動画像を表示した際に、動物体の同一の端部が動画像を構成するフレーム間で重なって見える現象である。発光期間選択回路３０は、動画像の速度、予め設定された動画ボケの許容値、及び最適な発光期間の関係を示すグラフに基づいて画素部７０の最適な発光期間を選択する。画像信号の速度は動画像の速度に対応しているので、発光期間選択回路３０は、画像信号の速度を参照することによって最適な発光期間を選択できる。
【００４５】
ここで、図３を参照しながら、動画像の速度、動画ボケの許容値、及び最適な発光期間の関係の一例を説明する。図３は、主観評価によって観測された動画像の速度、発光期間、及び動画ボケの許容値の関係を模式的に示すグラフの一例である。図３では、横軸は動画像の速度を示し、縦軸は動画像のボケ量を示す。図３は、画素部の発光期間を１０から１００％までの１０段階に分けた各発光期間における動画像の速度及び動画ボケ量の関係を示しており、各発光期間における動画像の速度に対する動画ボケ量の変化の傾向を夫々直線Ａ、Ｂ、Ｃ、Ｄ、Ｅ、Ｆ、Ｇ，Ｈ、Ｉ、Ｊで示している。直線Ａは、発光期間が１００％である場合の動画像の速度に対する動画ボケ量を示しており、直線Ｂ、Ｃ、Ｄ、Ｅ、Ｆ、Ｇ，Ｈ、Ｉ、Ｊの夫々は、発光期間が９０、８０、７０、６０、５０、４０、３０、２０、１０％である動画像の速度に対する動画ボケ量の変化を示す。
【００４６】
図３に示すように、動画像の速度に対して発光期間が短くなるほど動画ボケ量は減少する傾向にある。
発光期間とは、動画像を表示する際の１フレームの間隔を基準として、画素部が発光している期間の割合である。例えば、発光期間５０％とは、１フレームの間隔の半分だけ画素部が発光することを意味する。より具体的には、例えば、選択された発光期間だけ画素部を発光させるように、１フレームの間隔に画素部の消光期間を設定する。消光期間が長くなるほど、画素部の発光期間が小さくなり、動画ボケが低減される。
【００４７】
図３において、人間の視覚で感知される動画ボケ量の許容値、即ち主観評価によって求められた動画ボケ量の許容値を図中ｙで示している。直線Ａ、Ｂ、Ｃ、Ｄ、Ｅ、Ｆ、及びＧの夫々が許容値ｙと一致する際の動画像の速度ａ、ｂ、ｃ、ｄ、ｅ、ｆ、ｇは、各発光期間の夫々において人間の視覚によって動画ボケが感知されない動画像の速度の上限である。例えば、動画像の速度が０からａの範囲にある場合には、発光期間が１０から１００％までのどの発光期間であっても人間に視覚よって動画ボケが感知されない。したがって、動画ボケを低減する目的のみを考慮すれば、動画像の速度が０からａの範囲にある場合、発光期間選択回路３０は、１０から１００％までのどの発光期間を選択してもよいことになる。動画像の速度がａより大きい場合、例えば、動画像の速度がｇより大きい場合には、発光期間を４０％未満に設定することによって動画ボケ量を許容値ｙ未満にすることができる。したがって、発光期間選択回路３０によれば、動画ボケが許容値ｙ未満になるように画素部７０の発光期間を選択することによって、動画ボケを低減することが可能である。即ち、動画ボケを低減することのみを目的とした場合には、最適な発光期間として、動画像の速度に応じて動画ボケ量が許容値ｙ以下になるような発光期間が選択されるのである。
【００４８】
ここで、発光期間を小さくした場合には、有機ＥＬ表示部１１０の表示輝度が低くなってしまう。有機ＥＬ表示部１１０の表示輝度を高める或いは維持するためには、画素部７０の発光期間を短くした分、画素部７０の輝度を高める必要が生じる。例えば、動画像の速度が０からａまでの範囲にある場合に発光期間を５０％に設定すると、発光期間を１００％に設定した場合に比べて画素部７０の輝度を２倍にすることによって、発光期間が１００％である場合と同等の表示輝度が得られる。画素部７０の輝度を２倍にした分、画素部７０に含まれる有機ＥＬ素子の劣化が大きくなり、有機ＥＬ素子の寿命が短くなる。有機ＥＬ素子の寿命が短くなることに伴い、有機ＥＬ装置１０の寿命も短くなる。発光期間を大きくした場合には、有機ＥＬ素子の劣化は抑制されるが、動画ボケが生じてしまう。例えば、動画像の速度がｆの場合、発光期間が５０％未満であれば、動画ボケ量は許容値ｙ未満になるが、発光期間を５０％以上にすると動画ボケ量は許容値ｙ以上になってしまう。このように、動画ボケを低減すること及び有機ＥＬ素子の劣化を抑制することはトレードオフの関係にあり、これら両方を可能にすることは動画像の表示特性を高め、且つ長寿命の有機ＥＬ装置を提供するうえで重要になる。
【００４９】
そこで、発光期間選択回路３０は、動画ボケを許容値ｙ未満すること、及び有機ＥＬ素子７２の劣化を抑制することの両方を考慮して最適な発光期間を選択する。発光期間選択回路３０は、検出された動画像の速度に対して、動画ボケ量が許容値ｙ未満になる発光期間のうち例えば可能な限り大きい発光期間を最適な発光期間として選択する。発光期間が大きければ、その分画素部の輝度を上げなくても表示輝度を維持できる。より具体的には、動画像の速度が０からaの範囲では１００％の発光期間を最適な発光期間として選択し、動画像の速度がａからｂの範囲では、９０％の発光期間を最適な発光期間として選択する。同様に、発光期間選択回路３０は、動画像の速度がｂからｃの範囲、ｃからｄの範囲、ｄからｅの範囲、ｅからｆの範囲、ｆからｇの範囲の夫々で、８０、７０、６０、５０、４０％の発光期間を最適な発光期間として選択する。動画像の速度がｇ以上の範囲でも、同様にして最適な発光期間を選択すればよい。このような最適な発光期間を動画像の速度の夫々の範囲で選択することによって、有機ＥＬ装置１０は動画ボケ量を低減すると共に、画素部に含まれる有機ＥＬ素子の劣化を抑制できる。有機ＥＬ装置１０によれば、動画像の速度に応じて最適な発光期間が選択されるため、動画像の速度に無関係に一種類の発光期間が設定されている場合に比べて、動画ボケを効果的に低減しつつ、画素部７０に含まれる有機ＥＬ素子の劣化を抑制できる。
【００５０】
尚、図３に示した動画像の速度及び動画ボケ量の関係を示すデータは、図示しない記憶回路或いは発光期間選択回路３０に予め記憶されており、動画像が表示される毎に参照される。また、動画ボケ量の許容値ｙは、ソフトウェアによって設定可能であり、例えば、画素部７０が備える発光素子の種類等に応じて設定される。本実施形態では電気光学装置の一例として有機ＥＬ装置を例に挙げているが、他の電気光学装置においても、電気光学装置の種類或いは用途に応じて動画像の許容値ｙを設定することも可能である。この場合でも、動画像の速度及び発光期間の関係、並びに動画ボケ量の許容値等のデータを記憶回路或いは発光期間選択回路に記憶させておけば、ソフトウェアによって、このデータから最適な発光期間を選択できる。よって、動画像の速度に応じて最適な発光期間を算出するための算出時間を低減できるうえ、最適な発光期間を算出する算出回路を設ける必要がなくなり、動画像に対する高い表示特性を有し、且つ長寿命の電気光学装置を提供できる。
【００５１】
次に、図４を参照しながら、発光期間及び輝度の関係を詳細に説明する。図４は、画素部７０の発光期間及び輝度の関係を示す模式図である。図４（ａ）乃至図４（ｊ）では、横軸は発光期間を示し、縦軸は画素部の輝度を示す。図４（ａ）乃至図４（ｊ）は、順に発光期間が１００、９０、８０、７０、６０、５０、４０、３０、２０、１０％とされた場合における発光期間に対する画素部の輝度を示している。
【００５２】
図４（ａ）乃至図４（ｊ）において、表示輝度は発光期間及び輝度の積に対応しており、これら発光期間で発光する画素部７０の表示輝度はこれら発光期間の間で一律になっている。より具体的は、図４（ａ）乃至図４（ｊ）において、発光期間及び輝度の積が一律になるように、発光期間の増減分に応じて夫々輝度も増減されている。例えば、図４（ａ）及び図４（ｊ）を比較すると、発光期間が１００％から１０％に設定された場合には、発光期間が１０％のときの輝度は、発光期間が１００％のときの輝度の１０倍に設定されており、発光期間及び輝度の積で表される領域Ｓａ及びＳｊの面積は等しい。
【００５３】
このように、有機ＥＬ装置１０は、表示輝度を各発光期間で一律にするために、画素部７０、即ち有機ＥＬ素子の輝度を調整するのである。したがって、図３を参照しながら説明したように、動画ボケ量を低減し、且つ有機ＥＬ素子の劣化を抑制するように最適な発光期間が選択されるのである。
【００５４】
再び、図１において、表示制御回路３０は、外部から供給されたクロック信号、制御信号、及びデータ等の信号を処理し、有機ＥＬ表示部１１０による動画像の表示を制御する。より具体的は、表示制御回路４０は、所定のタイミングで走査線駆動回路１３０に発光期間選択信号を送り、データ線駆動回路１５０に発光輝度設定信号を送る。
【００５５】
データ線駆動回路１５０は、発光輝度設定信号に応じてデータ信号を画素部７０に供給する。データ線駆動回路１５０は、有機ＥＬ素子７２に供給される駆動電流の大きさを設定する電流値設定回路を含んでいる。この電流値設定回路は、例えば、画像信号を増幅することによってデータ信号を生成するレベルシフタ等である。このレベルシフタは、例えば、データ線駆動回路１５０にシフトレジスタ回路、ラッチ回路、サンプリング回路と共に設けられていてもよい。電流値設定回路を含むデータ線駆動回路１５０によれば、画素部に含まれる発光素子を発光期間に合わせて最適な輝度で発光させることが可能である。したがって、有機ＥＬ装置１０は、最適な発光期間及びこれに応じた輝度によって、表示輝度を損なうことなく、且つ動画ボケが生じないように動画像を表示できる。
【００５６】
次に、図１、図５、図６及び図７を参照しながら、画素部の構成及び発光期間を制御する際の画素部７０の動作を説明する。図５は、画素部７０の構成を示す回路図である。図６は画素部に供給される各種信号のタイミングチャートの一例であり、図７は発光期間を制御する際の選択表示信号の推移の一例を示すタイミングチャートである。
【００５７】
図５において、画素部７０は、有機ＥＬ素子７２、スイッチング用ＴＦＴＱｓｗ１及びＱｓｗ２、保持容量Ｃ１、駆動用ＴＦＴＱｄ、表示選択用ＴＦＴＱｓｔを備えている。
【００５８】
有機ＥＬ素子７２は、電流駆動型の発光素子の一例であり、例えば、アノード及びカソード並びにこれらに挟まれてなる有機ＥＬ層を備え、アノード及びカソード間に電位差が生じさせられることによって、アノードから正孔が、カソードから電子が有機ＥＬ層に注入され、これにより有機ＥＬ層自らが発光するように構成されている。有機ＥＬ層を構成する有機化合物は低分子系でも高分子系でもかまわない。また、有機層の構成としては、単一層からなるものでもよいし、電子輸送層、或いは正孔輸送層をもつ二層或いは三層構造からなるものとしてもよい。更に、有機ＥＬ素子７２は、赤色（Ｒ）、緑色（Ｇ）及び青色（Ｂ）の夫々に対応した、アノード、有機層及びカソードを１セットとする積層構造を、複数層備えた構成を採用してもよいし、画素部７０が、必要に応じてカラーフィルタを備えていてもよい。
【００５９】
走査線１１２は、図５に示すように書込信号供給線Ｙｎ１及び表示選択信号線Ｙｎ２から構成されている。書込信号供給線Ｙｎ１は、画素部７０の蓄積容量Ｃ１に電荷を蓄積するための電圧をスイッチング用ＴＦＴＱｓｗ１及びＱｓｗ２のゲートに印加するために設けられた配線であり、表示選択信号線Ｙｎ２は画素部７０が備える表示選択用ＴＦＴＱｓｔをオンオフするための表示選択信号Ｓｃｎ２−ｎを供給する配線である。
【００６０】
次に、図１、図５、図６、及び図７を参照しながら、画素部７０の動作について説明する。
【００６１】
図１、図５及び図６において、ＶＳＹＮＣ及び水平同期信号（以下、ＨＳＹＮＣと称す。）が供給されると、有機ＥＬ表示部１１０の走査線１１２に含まれる表示選択信号供給線Ｙｎ１に表示選択信号Ｓｃｎ１−ｎが供給される。続いて、ＨＳＹＮＣが供給される毎に図中上側から順に表示選択信号供給線Ｙｎ２に順に表示選択信号Ｓｃｎ２−１、Ｓｃｎ２−２、・・・、Ｓｃｎ２−ｎが供給される。
【００６２】
図７において、画素部７０に供給される表示選択信号Ｓｃｎ２−ｎのパルス幅が発光期間選択信号に応じて制御される。より具体的には、例えば、画素部の発光期間を小さくする場合には、発光期間選択信号に応じて表示選択信号Ｓｃｎ２−ｎのパルス幅を小さくする。また、逆に発光期間を大きくする場合には、表示選択信号Ｓｃｎ２−ｎのパルス幅を大きくする。これにより、表示選択用ＴＦＴＱｓｔを介して有機ＥＬ素子７２に駆動電流が流れる時間を調整することができ、画素部７０の輝度を調整できる。ここで、表示選択信号Ｓｃｎ２−ｎのパルス幅は、図中時間軸に沿って連続的に変更でき、画素部７０の輝度を連続的に変えることが可能である。例えば、Ｓｃｎ２−ｎのパルス幅を１００％、５０％、１０％に変更することによって、発光期間を１フレームの間隔の１００、５０、１０％に変更できる。したがって、動画像の速度が連続的に変化する場合であっても、画素部７０の発光期間を連続的に変更でき、動画ボケ量を低減することが可能である。
【００６３】
以上、説明したように本発明に係る電気光学装置の駆動回路によれば、動画像が表示される際の動画ボケ量を低減できると共に、画素部の劣化を抑制でき、動画像の表示特性に優れ、且つ長寿命の電気光学装置を構成できる。
【００６４】
（第２実施形態）
次に、図８を参照しながら本実施形態の有機ＥＬ装置の駆動回路の他の例を説明する。図８は、本実施形態に係る有機ＥＬ装置の駆動回路１ａの構成を示すブロック図である。尚、第２実施形態及び第３実施形態では、第１実施形態と共通する部分について共通の参照符号を参照して説明する。
【００６５】
図８において、有機ＥＬ装置１０の駆動回路１ａは、本発明に係る「速度検出手段」の一例を構成する移動量検出回路２２及び速度演算回路２３、発光期間選択回路３０、及び表示制御回路４０を備えている。
【００６６】
図８において、移動量検出回路２２は、動画像が移動した移動量を検出する。「移動量」とは、例えば動画像として表示される動物体の端部が、異なるフレームで異なる画素部の発光によって表示される際に、これら異なる画素部間の距離を意味する。即ち、動画像で表示される動物体を実際に人間が見た場合、文字通り表示された動物体が移動した量である。より具体的には、移動量検出回路２２は、外部から表示制御回路４０に供給される画像信号を検出し、検出した画像信号に基づいて動画像が移動した移動量を検出する。
【００６７】
速度演算回路２３は、移動量検出回路２２から移動量に関する情報を含む移動量信号を受け取る。速度演算回路２３は、移動量信号に基づいて動画像の速度を算出し、動画像の速度に関する情報を含む速度信号を発光期間選択回路３０に送る。発光期間選択回路３０及び表示制御回路４０は、第１実施形態と同様に動作し、表示制御回路４０から走査線駆動回路に発光期間選択信号が送られ、データ線駆動回路に発光輝度設定信号が供給される。以降は、第１実施形態で説明した同様の動作によって動画像が表示される。本実施形態に係る有機ＥＬ装置の駆動回路によれば、第１実施形態と同様に動画ボケを低減しつつ、画素部が備える有機ＥＬ素子の劣化を抑制できる。
【００６８】
次に、図９を参照しながら本実施形態に係る有機ＥＬ装置の駆動回路の変形例を説明する。図９は、本例の有機ＥＬ装置の駆動回路の構成を示すブロック図である。
【００６９】
図９において、駆動回路１ｂは、本発明に係る「速度検出手段」の一例を構成する動き検出回路２５及び動き演算回路２６、発光期間選択回路３０、及び表示制御回路４０を備えている。
【００７０】
図９において、動き検出回路２５は、外部から表示制御回路４０に供給される画像信号に基づいて動画像の動きを検出する。動画像の動きとは、動画像が動く向き及び移動量を含むベクトル的な検出値であり、例えば、有機ＥＬ表示部におけるＶＳＹＮＣが送られる方向に沿った向きだけでなく、ＨＳＹＮＣが送られる方向に沿った方向の成分も含む。したがって、有機ＥＬ表示部の画像表示面の面内方向に沿って動画像の動きを検出できる。
【００７１】
動き演算回路２６は、動き検出回路２５から供給される動き信号を演算し、動画像の速度及び動く方向を含む動きベクトル信号を発光期間選択回路３０に送る。
【００７２】
発光期間選択回路３０及び表示制御回路４０は、第１実施形態と同様に動作し、表示制御回路４０から走査線駆動回路に発光期間選択信号が送られ、データ線駆動回路に発光輝度設定信号が供給される。以降は、第１実施形態と同様の動作が行われ、動画像が表示される。本実施形態に係る有機ＥＬ装置の駆動回路によれば、第１実施形態と同様に動画ボケを低減しつつ、画素部が供える有機ＥＬ素子の劣化を抑制できる。
【００７３】
ここで、本実施形態の駆動回路１ａ及び１ｂが画素部の最適な発光期間を選択する際には、図３に示した動画ボケ量及び動画像の速度の関係を示したグラフを参照すればよい。尚、本実施形態では、動画像の移動量或いは動きを検出することから、図３中の速度を動画像の移動量或いは動きで置き換えたものを参照すればよい。
【００７４】
（第３実施形態）
次に、図１０を参照しながら本実施形態の有機ＥＬ装置の駆動回路を説明する。図１０は、本実施形態に係る有機ＥＬ装置の駆動回路の構成を示すブロック図である。
【００７５】
図１０において、駆動回路１ｃは、本発明に係る「差分値検出手段」の一例を構成するフレームメモリ２８及び比較回路２９、発光期間選択回路３０、並びに表示制御回路４０を備えている。
【００７６】
図１０において、フレームメモリ２８は、外部から表示制御回路４０に供給される画像信号を記憶する。比較回路２９は、外部から表示制御回路４０に供給される画像信号と、この画像信号のフレームより時間的に一つ前のフレームを表示する画像信号をフレームメモリ２８から読み出し、これら２つの画像信号を比較する。比較回路２９は、これら画像信号の差分値を求め、この差分値をフレーム差分値信号として発光期間選択回路３０に送る。より具体的には、フレーム差分値信号は、動画像を構成する連続したフレーム間における各画像信号が一致する割合を含む信号である。
【００７７】
発光期間選択回路３０及び表示制御回路４０は、第１実施形態と同様に動作し、表示制御回路４０から走査線駆動回路に発光期間選択信号が送られ、データ線駆動回路に発光輝度設定信号が供給される。以降の動作は、第１実施形態と同様の動作によって動画像が表示される。本実施形態に係る有機ＥＬ装置の駆動回路によれば、第１実施形態と同様に動画ボケを低減しつつ、画素部が供える有機ＥＬ素子の劣化を抑制できる。
【００７８】
ここで、本実施形態の駆動回路１ｃが画素部の最適な発光期間を選択する際には、図３に示した動画ボケ量及び動画像の速度の関係を示したグラフを参照すればよい。尚、本実施形態では、フレーム差分値に応じて画素部の発光期間を選択することから、図３中の速度をフレーム差分値に置き換えて参照すればよい。
【００７９】
（電子機器）
次に、上述の有機ＥＬ装置１０を備えた各種電子機器について説明する。
【００８０】
＜Ａ：モバイル型コンピュータ＞
図１１を参照しながらモバイル型のパーソナルコンピュータに上述した有機ＥＬ装置１０を適用した例について説明する。図１１は、コンピュータ１２００の構成を示す斜視図である。
【００８１】
図１１において、コンピュータ１２００は、キーボード１２０２を備えた本体部１２０４と、図示しない有機ＥＬ装置１０を用いて構成された表示部１００５を有する表示ユニット１２０６とを備えている。表示部１００５は、動画ボケが低減されているため、高い表示特性を有する。加えて、最適な発光期間及び輝度の設定により、寿命も長い。特に、大量の画像データを高速で送受信可能とする技術の発達に伴い、動画像に対する需要も高まっている。加えて、長時間支障なく動作させることができる信頼性も要求される。そこで、本例に係るモバイル型コンピュータによれば、時や場所に制約されることなく高品質の動画像を表示できるうえ、寿命も長い。更に、コンピュータ１２００は、簡便な駆動回路で高品質の動画像を表示できるため、携帯性を損なうことがない。また、表示部１００５が備える複数の有機ＥＬディスプレイ基板に赤、緑、青の光の三原色の光を発光する有機ＥＬ素子を形成しておくことによって、該表示部１００５はフルカラー表示で画像表示を行うこともできる。
【００８２】
＜Ｂ：携帯型電話機＞
更に、上述した有機ＥＬ装置１０を携帯型電話機に適用した例について、図１２を参照して説明する。図１２は、携帯型電話機１３００の構成を示す斜視図である。
【００８３】
図１２において、携帯型電話機１３００は、複数の操作ボタン１３０２と共に、本発明の一実施形態である有機ＥＬ装置１０を有する表示部１３０５を備えるものである。
【００８４】
表示部１３０５は、上述の表示部１００５と同様の駆動回路によって駆動されるため、高品質の動画像を表示できることに加え、寿命も長い。また、表示部１３０５が備える複数の有機ＥＬ素子が夫々赤、緑、青の光の三原色の光を発光することによって、該表示部１３０５はフルカラー表示で画像表示を行うこともできる。
【００８５】
尚、本発明は、上述した実施例に限られるものではなく、請求の範囲及び明細書全体から読み取れる発明の要旨或いは思想に反しない範囲で適宜変更可能であり、そのような変更を伴う電気光学装置の駆動回路及び方法、並びにこれを備えた有機ＥＬ表示装置等の電気光学装置、有機ＥＬ表示装置等を備えて構成される電子機器もまた本発明の技術的範囲に含まれるものである。
【図面の簡単な説明】
【００８６】
【図１】本発明の第１実施形態に係る有機ＥＬ装置の概略構成を示すブロック図である。
【図２】第１実施形態の有機ＥＬ表示部１１０の概略構成を示すブロック図である。
【図３】主観評価によって観測された動画像の速度、発光期間、及び動画ボケ量の許容値の関係を模式的に示すグラフの一例である。
【図４】第１実施形態の画素部７０の発光期間及び輝度の関係を示す模式図である。
【図５】第１実施形態の画素部７０の構成を示すブロック図である。
【図６】第１実施形態の画素部に供給される各種信号のタイミングチャートの一例である。
【図７】発光期間を制御する際の選択表示信号の推移の一例を示すタイミングチャートである。
【図８】本発明の第２実施形態に係る駆動回路１ａの構成を示すブロック図である。
【図９】第２実施形態の変形例に係る駆動回路１ｂの構成を示すブロック図である。
【図１０】本発明の第３実施形態に係る駆動回路１ｃの構成を示すブロック図である。
【図１１】本実施形態に係る電子機器の一例を示す斜視図である。
【図１２】本実施形態に係る電子機器の他の例を示す斜視図である。
【符号の説明】
【００８７】
１、１ａ、１ｂ、１ｃ・・・駆動回路、１０・・・有機ＥＬ装置、２０・・・速度検出回路、２２・・・移動量検出回路、２３・・・速度演算回路、２５・・・動き検出回路、２６・・・動き演算回路、２８・・・フレームメモリ、２９・・・比較回路、３０・・・発光期間選択回路、４０・・・表示制御回路
【図１】
2006215141.tif 000003
【図２】
2006215141.tif 000004
【図３】
2006215141.tif 000005
【図４】
2006215141.tif 000006
【図５】
2006215141.tif 000007
【図６】
2006215141.tif 000008
【図７】
2006215141.tif 000009
【図８】
2006215141.tif 000010
【図９】
2006215141.tif 000011
【図１０】
2006215141.tif 000012
【図１１】
2006215141.tif 000013
【図１２】
2006215141.tif 000014